(57)【要約】カタログに記載されている圧力値と流量値に基づいて構築されたデータベースから、特定型番の圧力値データと流量値データとを抽出し、圧力値と流量値との関係をグラフ表示させるためのグラフ作成プログラムであって、圧力値データと流量値データとからなるデータ組に基づいて近似曲線データを求める近似曲線演算処理と、求められた近似曲線データの相関度を求める相関度演算処理と、相関度が設定相関度よりも大きいか否かを判定する相関度判定処理と、相関度が設定相関度よりも小さい場合に、複数のデータ組のうちの、１組のデータ組を除去して近似曲線データを求める再演算処理と、求められた近似曲線データの相関度が設定相関度よりも大きくなった場合に、データ組と共に近似曲線を表示させ、これにより、異常値が含まれていたとしても正確な近似曲線を得ることのできるグラフ作成プログラムを提供することができる。【特許請求の範囲】
【請求項１】
ノズルカタログに記載されている圧力値と流量値の関係を含むノズル情報に基づいて構築されたノズルカタログデータベースから、特定のノズル型番についての圧力値データと流量値データとを抽出し、圧力値と流量値との関係をグラフ表示させるためのグラフ作成プログラムであって、
圧力値データと流量値データとからなるデータ組が複数ある場合に、この複数のデータ組に基づいて近似曲線データを求める近似曲線演算処理と、
求められた近似曲線データとデータ組とから近似曲線の相関度を求める相関度演算処理と、
求められた相関度が予め設定してある設定相関度よりも大きいか否かを判定する相関度判定処理と、
求められた相関度が設定相関度よりも小さい場合に、前記複数のデータ組のうちの、適宜の組数のデータ組を取り除いた形で近似曲線データを再度求める再演算処理と、
再度求められた近似曲線データの相関度が設定相関度よりも大きくなった場合に、データ組と共に近似曲線を表示させる表示処理とをコンピュータに実行させることを特徴とするグラフ作成プログラム。
【請求項２】
第１データと第２データとの関係をグラフ表示させるためのグラフ作成プログラムであって、
第１データと第２データとからなるデータ組が複数ある場合に、この複数のデータ組に基づいて近似曲線データを求める近似曲線演算処理と、
求められた近似曲線データとデータ組とから近似曲線の相関度を求める相関度演算処理と、
求められた相関度が予め設定してある設定相関度よりも大きいか否かを判定する相関度判定処理と、
求められた相関度が設定相関度よりも小さい場合に、前記複数のデータ組のうちの、適宜の組数のデータ組を取り除いた形で近似曲線データを再度求める再演算処理と、
再度求められた近似曲線データの相関度が設定相関度よりも大きくなった場合に、データ組と共に近似曲線を表示させる表示処理とをコンピュータに実行させることを特徴とするグラフ作成プログラム。
【請求項３】
前記データ組がｎ組である場合に、前記再演算処理では、ｎ組のうち１組を取り除いたｎ通りについて、ｎ通りの近似曲線データを再度演算し、そのうちの最も相関度の高い近似曲線データが設定相関度よりも大きくなった場合に、前記表示処理において、その近似曲線を表示させる処理を行うことを特徴とする請求項１又は２に記載のグラフ作成プログラム。
【請求項４】
再度演算したｎ通りの近似曲線データについて、いずれの近似曲線についても設定相関度よりも小さかった場合、前記再演算処理では、前記ｎ通りの近似曲線データのうち最も相関度が大きな近似曲線データが求められたときに取り除かれたデータ組を選択データ組として設定し、この選択データ組を含む２組を取り除いた（ｎ−１）通りの組み合わせについて、（ｎ−１）通りの近似曲線データを再度演算し、そのうちの最も相関度の高い近似曲線データが設定相関度よりも大きくなった場合に、前記表示処理において、その近似曲線を表示させる処理を行うことを特徴とする請求項３に記載のグラフ作成プログラム。
【請求項５】
複数のデータ組のうちいくつかのデータ組を除去した残りの組数が２組以下となった場合、近似曲線データを演算する処理を行わないようにし、前記表示処理において、カタログ記載のデータ組のみをグラフ表示させることを特徴とする請求項１〜４のいずれか１項に記載のグラフ作成プログラム。
【請求項６】
求められた近似曲線はｘｙ座標系により表示され、ｘｙ座標面内の任意のポイントが選択されると、そのポイントを基準に導き線を引き、導き線と近似曲線の交点における圧力値と流量値を演算して画面表示させる処理を行う請求項１〜５のいずれか１項に記載のグラフ作成プログラム。
【請求項７】
圧力値データと流量値データのいずれか一方を入力させるための別ウィンドウを起動させる処理と、
入力された圧力値データ又は流量値データに対応する流量値データ又は圧力値データを、表示されている近似曲線の近似曲線データに基づいて演算する処理と、
入力及び演算された圧力値データと流量値データに対応した導き線を引き、圧力値データと流量値データとともに画面表示させる処理を行う請求項１，３〜５のいずれか１項に記載のグラフ作成プログラム。
【請求項８】
前記表示処理において、グラフに表示される圧力値と流量値の単位として、カタログに記載されている単位を使用してグラフ作成を行うようにし、
カタログに記載されている単位以外の単位が選択された場合に、グラフの目盛線及び目盛値を区切りの良い数値となるようにグラフを作成しなおす処理を行うことを特徴とする請求項１，３〜７のいずれか１項に記載のグラフ作成プログラム。
【発明の詳細な説明】
【技術分野】
【０００１】  本発明は、第１データ（圧力値）と第２データ（流量値）の関係をグラフ表示させるためのグラフ作成プログラムに関するものである。
【背景技術】
【０００２】  上記グラフ作成プログラムとして、ノズルカタログに記載されている圧力値と流量値に基づいてグラフを作成する場合に用いられるものが例としてあげられる。本願発明者は、すでに、ノズルカタログに基づいてデータベースを構築し、ノズルユーザーの望むノズルのノズル型番を検索することができるノズル情報検索システムについて出願を行った（特開２００３−２２３８６号公報）。ユーザーがノズルを検索する場合に、重要なノズル情報の１つが圧力値と流量値の関係であり、その数値データがノズルカタログに記載されている。ノズルカタログには、圧力値と流量値の組み合わせが記載されているので、これをグラフ上にプロットすることができる。ある型番のノズルを検索できた場合に、そのノズルの圧力・流量特性をグラフにプロットさせて画面表示させることは可能である。【０００３】  しかしながら、カタログに記載されている圧力値と流量値は、数値データであり、これをグラフ上にプロットしたとしても、点の集合にすぎないため、ノズル特性を把握し難い面がある。ノズルカタログには、特定の圧力値に対する流量値が記載されているが、ノズルユーザーとしては、カタログに記載されていない圧力値に対する流量値を知りたいことがよくある。このような場合、単に点をプロットしただけでは、ユーザーの望む特性を直ちに把握しにくい。【０００４】  そこで、例えば、ｘ軸を圧力とし、ｙ軸を流量とした二次元座標に、点をプロットするだけでなく、複数の点（ｘ，ｙ）から近似曲線を演算で求め、この近似曲線もグラフ上に表示させる方法が考えられる。このような近似曲線を表示させることで、ユーザーは任意の圧力値に対応した流量値を容易に知ることができる。
【発明の開示】
【発明が解決しようとする課題】
【０００５】  しかしながら、カタログに記載されている圧力値と流量値に基づいて近似曲線を作成する場合には、以下に説明するような課題がある。例えば、図２２はカタログ記載値に基づいて作成したグラフである。複数の点がプロットされているが、この圧力値と流量値のデータは、実測により求めているため測定誤差が生じる。したがって、測定誤差の程度によっては、図２２に示すように、単一関数式で曲線を描けないことがある。【０００６】  次に、カタログに記載されたデータをプロットすると、図２３に示すように、異常値と思われるデータが存在することがある（図２３の左から４番目の点）。この異常値は、測定ミスによるものか記入（あるいは、印刷）ミスによるものと判断できるが、この異常値により正確な近似曲線が描けないことになる。さらに、図２４に示すように、明らかな異常値がカタログに記載されていることがある。図２４の右から１番目と４番目の点は、明らかに記入（印刷）ミスと思われ、これにより、適切な近似曲線を描くことができない。【０００７】  ノズルメーカーの作成したノズルカタログに基づきデータベースを構築し、カタログに記載された数値を表示させる場合に、仮に、異常値と思われる数値があったとしても、勝手に数値を変えることはできない。したがって、その異常値と思われるデータも含めた形で近似曲線を作成することになるが、得られた近似曲線は、正常と思われる点からは距離が離れた近似曲線となり、価値のないものとなる。【０００８】  本発明は上記実情に鑑みてなされたものであり、その課題は、第１データ（圧力値）と第２データ（流量値）の組み合わせからなるデータに基づいて近似曲線を演算する場合に、仮に、異常値が含まれていたとしても正確な近似曲線を得ることのできるグラフ作成プログラムを提供することである。
【課題を解決するための手段】
【０００９】  ノズルカタログに記載されている圧力値と流量値の関係を含むノズル情報に基づいて構築されたノズルカタログデータベースから、特定のノズル型番についての圧力値データと流量値データとを抽出し、圧力値と流量値との関係をグラフ表示させるためのグラフ作成プログラムであって、
圧力値データと流量値データとからなるデータ組が複数ある場合に、この複数のデータ組に基づいて近似曲線データを求める近似曲線演算処理と、
求められた近似曲線データとデータ組とから近似曲線の相関度を求める相関度演算処理と、
求められた相関度が予め設定してある設定相関度よりも大きいか否かを判定する相関度判定処理と、
求められた相関度が設定相関度よりも小さい場合に、前記複数のデータ組のうちの、適宜の組数のデータ組を取り除いた形で近似曲線データを再度求める再演算処理と、
再度求められた近似曲線データの相関度が設定相関度よりも大きくなった場合に、データ組と共に近似曲線を表示させる表示処理とをコンピュータに実行させることを特徴とするものである。【００１０】  この構成によるグラフ作成プログラムの作用・効果は、以下の通りである。このプリントシステムは、ノズルカタログデータベースから、特定のノズル型番についての圧力値データと流量値データを抽出してグラフ表示させることができる。圧力値データと流量値データからなる一対のデータをデータ組と称することとする。データ組が複数ある場合は、これに基づいて近似曲線データを演算で求めることができる。求められた近似曲線データと、元となったデータ組との相関度を求める。求められた相関度が、予め設定した設定相関度よりも小さい場合は、複数のデータ組のうちのいくつか（１個あるいは、それ以上）を取り除き、再度近似曲線データを求める。そして、求められた近似曲線データの相関度が設定相関度よりも大きくなった場合に、データ組と共に近似曲線をグラフ表示をさせる。以上のように演算処理を行えば、カタログ記載データに異常値があったとしても、これを取り除いた形での近似曲線を求めることができる。異常値か否かについては、相関度に基づいて判断することができる。その結果、圧力値データと流量値データの組み合わせからなるデータに基づいて近似曲線を演算する場合に、仮に、異常値が含まれていたとしても正確な近似曲線を得ることのできるグラフ作成プログラムを提供することができる。【００１１】  上記課題を解決するため本発明に係る別のグラフ作成プログラムは、第１データと第２データとの関係をグラフ表示させるためのグラフ作成プログラムであって、
第１データと第２データとからなるデータ組が複数ある場合に、この複数のデータ組に基づいて近似曲線データを求める近似曲線演算処理と、
求められた近似曲線データとデータ組とから近似曲線の相関度を求める相関度演算処理と、
求められた相関度が予め設定してある設定相関度よりも大きいか否かを判定する相関度判定処理と、
求められた相関度が設定相関度よりも小さい場合に、前記複数のデータ組のうちの、適宜の組数のデータ組を取り除いた形で近似曲線データを再度求める再演算処理と、
再度求められた近似曲線データの相関度が設定相関度よりも大きくなった場合に、データ組と共に近似曲線を表示させる表示処理とをコンピュータに実行させることを特徴とするものである。【００１２】  先ほどは、ノズルカタログに記載されている圧力値と流量値の関係について説明したが、これに限定されるものではなく、一般的に、第１データと第２データからなるデータ組が複数あり、これに基づいて近似曲線を作成しようとする場合にも、適用できる技術である。すなわち、
第１データと第２データのデータ組が複数ある場合において、その中に異常値が含まれていたとしても、精度の良い近似曲線データを演算で求めることができる。その結果、第１データと第２データの組み合わせからなるデータに基づいて近似曲線を演算する場合に、仮に、異常値が含まれていたとしても正確な近似曲線を得ることのできるグラフ作成プログラムを提供することができる。【００１３】  本発明の好適な実施形態として，前記データ組はｎ組である場合に、前記再演算処理では、ｎ組のうち１組を取り除いたｎ通りについて、ｎ通りの近似曲線データを再度演算し、そのうちの最も相関度の高い近似曲線データが設定相関度よりも大きくなった場合に、前記表示処理において、その近似曲線を表示させる処理を行うものがあげられる。【００１４】  再演算処理としては、例えば、次のように行うことができる。仮にデータ組が５組（ｎ組に相当）であるとすると、この５組のうち１組を除いた組み合わせ（全部で５通りある）について、近似曲線データを再演算する。近似曲線データは５通り分得られる。この再度得られた近似曲線データのうち、相関度が最も大きいものに着目する。相関度が最も大きな近似曲線データの相関度が、設定相関度よりも大きくなれば、その近似曲線データを用いて、モニターに近似曲線を表示させることができる。【００１５】  本発明の別の好適な実施形態として、再度演算したｎ通りの近似曲線データについて、いずれの近似曲線についても設定相関度よりも小さかった場合、前記再演算処理では、前記ｎ通りの近似曲線データのうち最も相関度が大きな近似曲線データが求められたときに取り除かれたデータ組を選択データ組として設定し、この選択データ組を含む２組を取り除いた（ｎ−１）通りの組み合わせについて、（ｎ−１）通りの近似曲線データを再度演算し、そのうちの最も相関度の高い近似曲線データが設定相関度よりも大きくなった場合に、前記表示処理において、その近似曲線を表示させる処理を行うものがあげられる。【００１６】  先ほど説明したデータ組が５組ある場合を例にあげて説明する。５組のうち１組をのぞいた５通りの近似曲線データを求めた場合、この５通りの近似曲線データについて再度、相関度を演算する。５通りの近似曲線データの相関度を求めた場合に、少なくともいずれか１つかが設定相関度よりも大きくなればよいが、依然として設定相関度よりも小さいということがある。その場合は、次のように演算処理を行う。Ａ，Ｂ，Ｃ，Ｄ，Ｅの５組のうち、Ｂを除いたＡ，Ｃ，Ｄ，Ｅにより得られた近似曲線データが最も相関度が高かったとする。その次は、そのＢを含む２組を除いた４通り（（ｎ−１）通りに相当）について再度近似曲線データとその相関度を求める。具体的には、５組のうち（Ａ，Ｂ）（Ｂ，Ｃ）（Ｂ，Ｄ）（Ｂ，Ｅ）を取り除いた４組のデータ組に基づいて近似曲線データを求める。求められた各近似曲線データについての相関度を求め、最も相関度が大きな近似曲線データの相関度が設定相関度よりも大きくなった場合は、その近似曲線データを用いてグラフ表示を行う。【００１７】  本発明の更に別の好適な実施形態として，複数のデータ組のうちいくつかのデータ組を除去した残りの組数が２組��下となった場合、近似曲線データを演算する処理を行わないようにし、前記表示処理において、カタログ記載のデータ組のみをグラフ表示させるものがあげられる。【００１８】  上記のように、相関度が設定相関度よりも小さな場合は、いくつかのデータ組を除いて演算処理を行う。この場合、取り除いた残りのデータ組の組数が２組以下となった場合には、近似曲線を求める意味がないので、その時点で近似曲線データを求める処理は中止する。そして、グラフ表示を行う場合には、データ組のみをプロットさせ、近似曲線の表示は行わないようにする。【００１９】  本発明の更に別の好適な実施形態として，求められた近似曲線はｘｙ座標系により表示され、ｘｙ座標面内の任意のポイントが選択されると、そのポイントを基準に導き線を引き、導き線と近似曲線の交点における圧力値と流量値を演算して画面表示させる処理を行うものがあげられる。【００２０】  モニター画面に近似曲線を表示させた場合、この近似曲線により任意の圧力値に対する流量値（あるいは、任意の流量値に対する圧力値）をグラフから読み取ることができる。しかしながら、グラフの目盛から具体的な数値を読み取るのは、多少なりとも労力が必要である。そこで、グラフが表示されるｘｙ座標面内の任意のポイントを選択すると、そのポイントを基準にして導き線を引く処理（表示処理）を行う。この導き線と近似曲線の交点を求め、この交点における圧力値と流量値を演算して画面表示させる処理を行う。これにより、ユーザーは任意の圧力値に対する流量値を知りたい場合には、ｘｙ座標内の任意のポイントを選択すればよい。これにより、数値をグラフから読み取る労力を削減することができる。【００２１】  本発明の更に別の好適な実施形態として，圧力値データと流量値データのいずれか一方を入力させるための別ウィンドウを起動させる処理と、
入力された圧力値データ又は流量値データに対応する流量値データ又は圧力値データを、表示されている近似曲線の近似曲線データに基づいて演算する処理と、
入力及び演算された圧力値データと流量値データに対応した導き線を引き、圧力値データと流量値データとともに画面表示させる処理を行うものがあげられる。【００２２】  先ほどは、ｘｙ座標面内の任意のポイントを選択する方法を説明した。この方法だと、切りの良い数値を選択することが難しい。例えば、ユーザーは１００という数値を選択しようとしても、１００．１になったり９９．８になったりする。そこで、圧力値か流量値の一方を入力させるための別ウィンドウを起動させる。この別ウィンドウにより具体的な数値を入力できるようにする。例えば、圧力値＝１００といった区切りの良い数値を入力できる。この入力された数値に基づいて、導き線を引き入力された圧力値（流量値）に対する流量値（圧力値）を演算処理で求める。求められた数値は、先ほどと同様に画面表示される。【００２３】  本発明の更に別の好適な実施形態として，前記表示処理において、グラフに表示される圧力値と流量値の単位として、カタログに記載されている単位を使用してグラフ作成を行うようにし、
カタログに記載されている単位以外の単位が選択された場合に、グラフの目盛線及び目盛値を区切りの良い数値となるようにグラフを作成しなおす処理を行うものがあげられる。【００２４】  ノズルカタログに記載されている圧力値や流量値の単位はメーカー間で統一されておらず、ばらばらである。また、ノズルユーザーが日常用いている圧力値や流量値の単位もユーザー間で統一されているわけではない。そこで、基本的にはグラフ表示はカタログ記載の単位に基づいて作成するが、ユーザーにより異なる単位を選択できるようにし、選択した単位に基づいてグラフ作成をやり直す処理を行う。グラフに表示される目盛の数値は、切りの良い数値が用いられるが、単位を変更すると、その切りの良い数値は中途半端な数値になる。例えば、圧力値が１００ｐｓｉと表示されていたものが、０．６９０ＭＰａと表示されると中途半端な数値となり、見にくいグラフとなる。そこで、別の単位を選択した場合には、グラフの目盛線と目盛値を区切りの良い数値となるようにグラフを作成しなおすようにする。これにより、数値を読み取りやすいグラフとすることができる。
【図面の簡単な説明】
【００２５】
【図１】ノズル情報検索システム全体の構成を示す概念図
【図２】サーバーシステムの構成を示す図
【図３】検索方法を選択するためのページの表示構成例を示す図
【図４】スタンダード検索におけるステップ１の検索画面の構成例を示す図
【図５】スタンダード検索におけるステップ２の検索画面の構成例を示す図
【図６】スタンダード検索におけるステップ３の検索画面の構成例を示す図
【図７】スタンダード検索における検索結果の一覧表を表示する画面の構成例を示す図
【図８】スタンダード検索における検索結果詳細表示の画面の構成例を示す図
【図９】スタンダード検索における検索結果詳細表示の画面の構成例を示す図
【図１０】グラフ作成プログラムの機能を説明するブロック図
【図１１】グラフ作成処理を行う場合の概略フローチャートを示す図
【図１２】近似曲線を求めた結果を示すグラフ（例１）（データ削除なし）
【図１３】近似曲線を求めた結果を示すグラフ（例２）（データ削除なし）
【図１４】近似曲線を求めた結果を示すグラフ（例２）（データ１組削除）
【図１５】近似曲線を求めた結果を示すグラフ（例３）（データ削除なし）
【図１６】近似曲線を求めた結果を示すグラフ（例３）（データ１組削除）
【図１７】近似曲線を求めた結果を示すグラフ（例３）（データ２組削除）
【図１８】導き線をグラフ上に引くことができる機能を説明する図
【図１９】特性値を直接入力することで、導き線をグラフ上に引くことができる機能を説明する図
【図２０】単位換算の考え方を説明する図
【図２１】図２０のグラフを単位換算したグラフを示す図
【図２２】カタログの数値をそのまま利用してグラフを作成した例１
【図２３】カタログの数値をそのまま利用してグラフを作成した例２
【図２４】カタログの数値をそのまま利用してグラフを作成した例３
【符号の説明】
【００２６】１    クライアント装置
２    サーバーシステム
２０  データベース
２６  ＣＧＩシステム
２７  グラフ作成プログラム
【発明を実施するための最良の形態】
【００２７】  本発明に係るグラフ作成プログラムが用いられるノズル情報検索システムの好適な実施形態を図面を用いて説明する。図１は、システム全体の構成を示す概念図である。【００２８】  ＜システム全体構成＞
このシステムは、データベースに構築されたノズル情報を提供する総合ノズルコンサルタント会社Ｃ（以下、コンサルタント会社と略し、サーバー管理者にも該当する。）の管理するサーバーシステム２と、ノズルユーザーＡ（以下、単に「ユーザー」と略す。）のクライアント装置１とがインターネットＢ（ネットワークに相当する）により接続されている。クライアント装置１は、一般的にはパソコンが使用され、インターネットに接続してホームページを閲覧するためのブラウザがインストールされている。また、ノズルメーカーＤのシステムにも接続されている。【００２９】  サーバーシステム２は、いわゆるＷｅｂサーバを中核として構成されるものであり、ノズル情報検索システムを利用するために種々のページ（サイト）を用意している。ページは、例えば、ＨＴＭＬファイルの形式でハードディスクに保存されている。また、サーバーシステム２には、システム運用のために必要なソフトウェアとして、ＯＳ及び各種アプリケーションがインストールされている。また、世界各国のノズルメーカーが提供するノズルカタログ２１に基づいて、ノズル情報のデータベース２０を構築している。このデータベース２０の概要は、本出願人による前述の特許文献１にも開示されている。【００３０】  先ほど述べたようにデータベース２０には、ノズルカタログに基づいてノズル情報をデータベース化しているが、例えば、ノズル仕様情報とノズル型番情報とを対応付けてデータベースに登録している。また、ノズル型番情報と、その型番に対応する圧力、流量、噴射角、スプレー角度（噴射角度）、材質等の仕様情報が登録される。従って、ユーザーの要望する圧力・流量・スプレー角度の数値をキーワードとしてデータベース２０を検索することができる。また、各社のカタログ画像データ２１も入力されており、あるメーカーのノズル型番が指定された場合は、その型番のノズルが掲載されているカタログの該当するページを検索することができるようになっている。これにより、ユーザーは、このデータベース２０を利用することで、世界のノズルメーカーのカタログ情報を取得することができる。【００３１】  ＜サーバーシステムの構成＞
次に、サーバーシステム２の制御ブロック構成を図２により説明する。送受信部２２は、ユーザー、コンサルタント会社等のパソコン（以下、外部パソコンと総称することがある。）からのアクセス要求に応じて、Ｗｅｂページ（ホームページ）データ（ＨＴＭＬデータ）や電子メールを送信する。また、外部パソコンにより入力されたデータ、電子メール等を受信する。この送受信部２２は、サーバーシステム２を構成するコンピュータにインストールされるプログラム（ＯＳ等）や通信インターフェースにより構成することができる。【００３２】  Ｗｅｂページ記憶部２３は、ＷｅｂページデータがＨＴＭＬファイルの形式で保存されている。Ｗｅｂページ処理部２４は、外部パソコンからのアクセス要求に応じて、Ｗｅｂページ記憶部２３に記憶されているＷｅｂページデータを送受信部２２を介して送信させる。また、ＣＧＩプログラムによる処理結果やデータベース２０の検索結果をＷｅｂページの形態に処理し（ＨＴＭＬデータを生成し）、外部パソコンへと送信する。【００３３】  電子メール処理部２５は、外部パソコンから送信されてくる電子メールの処理、例えば、電子メールに書かれているデータの解析等を行う。解析結果に基づき、ＣＧＩプログラムが起動される。また、外部パソコンへ送信すべき電子メールの自動作成を行う。ＣＧＩシステム２６とは、サーバーが外部のプログラム（ＣＧＩプログラム）を呼び出して実行させる機能のことをいう。ＣＧＩシステム２６の中核をなすＣＧＩプログラムが多数格納されている。ＣＧＩプログラムには、グラフ作成プログラム２７が含まれており、データベース２０に格納されている圧力値データと流量値データに基づいてグラフを作成する機能を有するコンピュータプログラムである。詳細は後述する。【００３４】  データベース制御部２９は、ユーザーのパソコンから送信されてきたキーワード情報に基づいて、データベース２０の検索を行う。検索結果は、ＣＧＩシステム２６の機能により、Ｗｅｂページの形態でユーザーのパソコンに返信される。【００３５】  Ｗｅｂページ記憶部２３には、Ｗｅｂページデータが多数格納されている。検索システムとしては、４つの検索方法を提供しており、具体的には、スタンダード検索、エキスパート検索、ノズル仕様検索、類似ノズル検索の４つである。そのための検索ページを提供する。【００３６】  ＜検索システム＞
次に、検索システムの概要と検索手順を説明する。図３は、検索方法を選択するためのページの表示構成例を示す。ここに示すように、本検索システムは４つの検索方法を提供する。すなわち、
ノズル型番検索として、スタンダード検索とエキスパート検索、ノズル仕様検索と、類似ノズル検索である。各検索方法の概要は、図３に記載している通りである。画面上の「検索画面へ」と書かれたボタン４０をクリックすれば、夫々の検索画面へと移行する。本発明では、スタンダード検索についてのみ説明する。なお、本発明に係るグラフ作成プログラムは、どの検索方法の場合にも用いることができる。【００３７】  スタンダード検索は、概略の検索条件を入力して、ノズル型番を多数検索する方法である。広範囲で多数のノズル型番を検索することができる。スタンダード検索では、３段階に分けて検索条件を入力可能である。図３に示す画面において、スタンダード検索を選択すると、まず図４に示すようなステップ１の検索画面（入力フォーム）に移行する。【００３８】  画面の上部には、入力済みの検索条件を表示する表示エリア４１が設けられている。ステップ１では、ノズルの分類を検索条件として入力する。あらかじめ、「液体用ノズル」「気体用ノズル」・・・のように分類がされており、ラジオボタンをクリックすれば、いずれか１つの分類を選択することができる。選択を終了すると、画面下にある「次ページ」ボタンをクリックすれば、ステップ２へ進む。【００３９】  図５は、スタンダード検索の第２ステップの検索画面（入力フォーム）を示す図である。ステップ１と同様に表示エリア４１が設けられている。この表示エリア４１には、ステップ１で入力済みのノズルの分類として、「蒸気ノズル」が表示されている。これにより、過去に（別のステップで）入力した検索条件を確認することができる。ステップ１の条件を変更したい場合は、表示エリア４１の中で「Ｓｔｅｐ１」と表示された箇所をクリックすれば、先ほどの図４の検索画面に戻ることができる。【００４０】  ステップ２では、スプレーパターンを選択した例が示されている。スプレーパターンは、ノズルの先端から外部に流体が噴射されるときの噴射パターンである。スプレーパターンの表現については、ノズルメーカーの間で統一されたものがなく、また、言葉で表現すること自体も難しい。従って、ユーザーに検索条件としてスプレーパターンを入力させる場合に、どのような形で入力させるかは重要である。また、ユーザーが入力しやすいような形態でなければならない。そこで、スプレーパターンをイラスト化して表示させるようにした。本願発明者は、世界各国のノズルカタログを検討し、全てのノズルを図５に示すようにイラスト化されたスプレーパターンで分類した。夫々のスプレーパターンには、形状ＩＤも付している。なお、スプレーパターン断面が同じであっても、流体の噴射方向が異なる場合は、異なる分類として扱っている。言葉による説明だけでなく、スプレーパターンをイラスト化しているので、ユーザーは迷うことなく自分の要望するノズルのスプレーパターンを選択することができる。選択は、いずれか１つのラジオボタンをクリックすればよい。ステップ２の入力が終わると、「次ページ」ボタンをクリックしてステップ３に進む。【００４１】  図６は、ステップ３の検索画面（入力フォーム）の構成例を示す図である。ステップ３では、概略のノズル仕様を検索条件として入力��る。他の、ステップ１，２の画面と同様に、表示エリア４１が設けられている。既に入力済みのノズルの分類とスプレーパターンをイラスト化したものが表示されている。表示エリア４１の機能は、すでに説明したのと同じである。【００４２】  画面の下部にノズル仕様を入力するための入力フォームが示される。具体的には、流体圧力（圧力値）と噴射流体流量（流量値）とスプレー角度とを入力できる。流体圧力を入力する入力欄４３と、単位を選択する入力欄４５とが設けられている。入力欄４３には、数値を入力する。単位については、メーカーやユーザーによって取り扱っている単位が異なっているので、選択できるようにした。なお、ユーザーの選択した単位と、メーカーのカタログ記載の単位とが異なっていたとしても、単位換算の演算処理を行って検索するようにしているので、選択した単位に依存して検索結果が異なることはないようにしている。噴射流体流量についても、単位を選択できる。なお、単位換算表と記載されているボタン４２をクリックすると、単位換算するためのページが別ウィンドウで表示される。このページで、単位換算を行うことができるので、ユーザーは必要に応じて利用すればよい。【００４３】  また、噴射流体流量とスプレー角度については、許容範囲も入力できるような入力欄４４も設けている。これは、もし許容範囲を入れない場合は、入力した流体圧力に対応する噴射流体流量及びスプレー角度を有するノズルが検索されない可能性が高くなるからである。つまり、ピンポイントの数値の検索では、ユーザーの要望する特性を有するノズルが存在するにもかかわらず、検索結果として抽出されないということがありうる。
そこで、本検索システムでは、許容範囲も入力させるようにして、確実に検索できるようにしている。【００４４】  ステップ３の検索条件を入力し終わったら、検索開始ボタンをクリックすると、検索が行われる。なお、既に入力済みの検索条件のやり直しをする場合は、表示エリア４１の中にある該当する箇所をクリックすれば、選択したステップの検索画面のところに戻る。また、検索を実行するにあたり、ステップ１とステップ２とは必須項目であるが、ステップ３のノズル仕様については、入力しなくても検索を行うことができる。あるいは、ノズル仕様の一部のみを入力しても良い。すなわち、
圧力・流量・スプレー角度の全ての項目について検索条件を入れてもよいが、必ずしも全てを入力しなくて良い。これにより、広範囲にわたってノズルを検索することができる。【００４５】  図７は、スタンダード検索における検索結果の一覧表を表示する画面の構成例である。図示は省略しているが、検索条件を表示する表示エリアが同様に設けられる。機能は同じである。【００４６】  一覧表における表の項目として、ＳＧＳコード、メーカー、国籍、カタログ言語、メーカー型番、圧力値、流量値、スプレー角度、材質、ネジの規格・サイズ・オスメスの区別、バルブ、ストレーナが設けられる（ただし、図示の都合上、一部を示す）。このように、検索結果をノズル型番（メーカー型番）として抽出することができる。検索個数が多数の場合は、複数ページにわたって一覧表が作成される。ユーザーは、この検索結果を見て、新たに検索条件を入力したい場合は、画面の下にある「検索方法」の選択と記載されたボタンをクリックすればよい。また、検索結果を更に絞込みたい場合は、エキスパート検索に行くことができる。【００４７】  一覧表に表示されている各社のノズルのうちの、特定のノズル型番のノズルについて詳細に知りたい場合は、一覧表の中のメーカー型番の枠内（例えば、図番４６で示している箇所）
をクリックすればよい。これにより、図８，９に示す、検索結果詳細表示の画面に移行する。図８の画面を下方にスクロールすれば図９の画面になる。【００４８】  図８の画面において、上部に表示エリア４１が設けられている。機能は、すでに説明した通りである。また、単位換算表のためのクリックボタン４２も設けられている。【００４９】  選択したノズル型番についての詳細表示が一覧表４８として表示されている。そのノズルのメーカーのＵＲＬも表示されており、メーカーのホームページもすぐに見ることができる。図９に示すように、圧力−流量特性表４９と圧力−スプレー角度特性表５０が表示されており、単位も選択できる。異なる単位を選択すると、演算処理がされ、選択した単位に対応した数値に変換される。この表は、カタログに記載されたデータをそのまま表示させている。この表により、実際のカタログ値を確認することができる。また、圧力・流量グラフ表示ボタン６０が設けられており、このボタン６０をクリックすると、圧力・流量の関係をグラフ表示させることができる。このグラフ表示機能については、後述する。【００５０】  一覧表４８の下方には、検索されたノズルに関連したノズルカタログのページ５１がサムネイル画像として表示されている。そのページの箇所をクリックすると、画像が拡大されてカタログ画像を通常の大きさで見ることができる。これにより、カタログを見ながら実際のデータを確認することができる。したがって、検索結果の一覧表で注記の表示がされているノズルについては、実際のカタログの内容を確認できる。【００５１】  画面の下部には、「添付メーラー起動」と記載されたボタン５２が設けられている。ユーザーは、メーカーに対して問い合わせを行いたい場合は、このボタン５２をクリックすればよい。これにより、電子メールのソフトウェアが自動的に起動する。また、宛先にもそのメーカーのメールアドレスが既に入力された状態となっている。【００５２】  先ほどと同様に、新たに検索条件を入力したい場合は、「検索方法」の選択と記載されたボタン５３をクリックすればよい。【００５３】  ＜グラフ作成機能＞
図１０は、グラフ作成プログラムの機能を説明するブロック図である。既に説明したように、特定のノズル型番の圧力値と流量値の関係（図９に示す圧力−流量特性表４９に示すもの）について、グラフ化して表示させることができる。グラフには、圧力値と流量値をプロットするだけでなく、圧力値と流量値の関係を近似曲線により表示できるようにする。この近似曲線を求めることが、グラフ作成プログラムの主要な機能の１つである。データベース２０には、各ノズルメーカーのカタログ記載に基づいて、各ノズルごとに圧力値データと流量値データが格納されている。ある型番のノズルについて言えば、圧力値データに対する流量値データは一義的に決まっている。そこで、圧力値データと流量値データを組み合わせたものをデータ組と称する。データ組が複数あれば、そのノズルについて圧力・流量特性を表わす近似曲線を求めてグラフ表示させることができる。【００５４】  図１０に示すように、圧力値データと流量値データ６１を取得すると、近似曲線演算処理部６２は、近似曲線データを演算して求める機能を有する。近似曲線を求める手法は種々考えられるが、ここでは最小二乗法により近似曲線データを求める。求められた近似曲線データは、近似曲線データ記憶部６５に格納させることができる。相関度演算処理部６３は、求められた近似曲線データの相関度を演算する機能を有する。相関度としては、回帰式の決定係数（Ｒ−２乗値）と呼ばれる統計量を用いる。相関度が１に近ければ近いほど、近似曲線の近似精度が高いことを示している。【００５５】  相関度判定処理部６４は、相関度演算処理部６３により演算された相関度を予め設定した設定相関度と比較して設定相関度よりも大きいか否かを判定する。設定相関度データは、設定相関度記憶部６６に記憶させている。設定相関度の数値は、プログラム上の設定で任意に数値を決めることができるようになっている。【００５６】  表示処理部６７は、圧力値データと流量値データからなるデータ組をグラフ上にプロットした表示用データや、得られた近似曲線データを上記グラフ上に描くための処理等を行う機能を有する。表示処理部６７で処理されたデータは、モニター制御部６８に転送され、モニター６９の画面にて視覚的に表示される。【００５７】  後で詳しく説明するが、モニター画面に表示されているグラフの座標上の任意の座標（ポイントデータ７０）を選択（指定）すると、このポイント（座標）を基準としてグラフ内に導き線を引くと共に、この導き線と近似曲線との交点の座標を演算で求めるようにしている。これは、交点演算処理部７１の機能に基づくものである。また、単位データ７２を選択できるようにしている。グラフ表示される圧力値と流量値は、カタログに記載されている単位に基づいているが、これを異なる単位に変換できるようにしている。【００５８】  ＜グラフ作成手順＞
次に、グラフを作成する手順を具体的に説明する。図１１は、グラフ作成処理を行う場合の概略フローチャートを示す図である。図９で示した画面において、グラフ表示ボタン６０をクリックする（＃１）。これにより、グラフ作成要求信号がサーバーシステム２に送信され、グラフ作成プログラム２７が起動される。以下の、フローチャートに示す処理は、主としてサーバーシステム２にて実行される。【００５９】  次に、グラフを作成しようとするノズルについて、圧力値データと流量値データとからなるデータ組が何組あるか判定する（＃２）。カタログに記載されているデータ組が１組あるいは２組しかない場合もある。このような場合、近似曲線を求める意味がないので、表示処理部６７の機能に基づいて、グラフ表示処理を行う（＃７）。この場合、グラフには、データ組のプロットのみを行う。【００６０】  データ組が３組以上あれば、近似曲線データを演算する処理を実行する。近似曲線データは、最小二乗法に基づいて求める。ここで流量値と圧力値の関係式であるが、
流量値＝定数×（圧力値）ｎ
で表わされる。通常はｎ＝０．５（すなわち平方根）であるが、ノズルの内部構造によっては、０．５以外の数値をとることもありうる。この関係式に基づいて近似曲線データを求める。上記式の定数とｎのデータがあれば、近似曲線をグラフに描くことができる。よって、上記定数とｎのデータは、近似曲線データに相当する。【００６１】  既に図２２〜図２４により、説明したように、ノズルカタログに記載されている圧力値や流量値の中には、異常値と思われる数値が含まれていることがある。本願発明者は、世界のノズルメーカーのノズルカタログを精査したところ、約１０万件の液体ノズルのうち、１６００件〜３４００件程度に測定誤差や記入ミス等に起因する異常値が含まれていることを発見した。このような異常値データを含んだ形で近似曲線を求めると、精度のよくない近似曲線が得られてしまう。そこで、異常値を除去した形で近似曲線データが得られるようにプログラムされている。【００６２】  図１２は、ある型番のノズルについて近似曲線データを求めた結果を示すグラフである。グラフは横軸（ｘ軸）が圧力値、縦軸（ｙ軸）が流量値である。近似曲線を求めるためのデータ組が５組の例である。グラフの右上に、求められた近似曲線の関数式が表示されている。また、表１は、図１２のグラフの圧力値と流量値の関係を示す表である。また、求められた相関度は０．９９８９であることも表１に示されている。相関度は１に近いほど好ましい。図１２に示すように、表１の例では、近似曲線の上に点がほぼ乗っている形となっている。【００６３】
【表１】
2005031278.tif 000002
【００６４】  したがって、図１２のような場合は、異常値データはなく、精度の良い近似曲線であると評価できる。かかる評価を行うため、相関度を演算し、これが予め設定した設定相関度よりも大きいか否かを判断する（＃４、＃５）。設定相関度の値は適宜設定することができるが、例えば、０．９８とする。この数値は、グラフ表示させる近似曲線の精度を考慮して決めることができる。【００６５】  次に、ステップ＃５において相関度が設定相関度未満となった場合の処理について説明する。表２は、別の例のノズルについての圧力値と流量値の関係を示す。【００６６】
【表２】
2005031278.tif 000003
【００６７】  図１３は、表２に示す関係をグラフ化したものである。データ組は５組としている。相関度を求めると、表２に示すように０．９７３６であり、０．９８よりも小さくなっている。その原因は、図１３からも分かるように、左から４番目のデータ組が異常値と考えられるからである。この場合は、５組のうちの１組を除いた形で再度、近似曲線データを求める（＃６）。【００６８】  表２に示すように、１組を取り除く場合、除き方は５通りある。表２では、その５通りについて示している。×印をつけているのが、除いたデータ組である。残りの４組について、再度、近似曲線データを求め、夫々求められた近似曲線データについて相関度も求める。表２の５通り求められた近似曲線データのうち、最も相関度が大きなものについて着目する。すなわち、Ｎｏ．４のデータ組を除いて演算した場合の相関度が０．９９９１であり、最も大きく、しかも設定相関度よりも大きくなっている。このとき求められた近似曲線の様子は、図１４に示される。×印で示しているのが除かれた点であり、残りの４点は近似曲線のほぼ上に乗っかっていることが理解される。図１３と図１４を対比して見れば、図１４の方が精度が良いことは明白である。実際にモニター画面に表示されるのは、図１４に示される結果であり、図１３についてはモニターに表示されることはない。また、図１４において、取り除いた点について便宜上×印を付けているが、これは説明を分かりやすくするためである。実際には、取り除いた点も含めて、全ての点は黒丸で表示する。【００６９】  次に、異常値が２つある例について説明する。この例を表３に示す。表３において、データ組の数は５組としている。この５組の全てのデータを用いて近似曲線を求めると、図１５に示すようなグラフとなる。このグラフから推察できるように、左から２番目の点と，左から４番目の点が異常値データであると思われる。５組すべてのデータを用いて近似曲線データを演算したときの相関度は、表３に示すように０．９５７９である。相関度は、設定相関度の０．９８よりも小さくなっている。そこで、１組を取り除いた形で，再度演算処理を行う【００７０】
【表３】
2005031278.tif 000004
【００７１】  １組除いて演算した結果は表３と図１６に示される。表３において、表２の場合と同様に、５通りの近似曲線データについて相関度の演算結果が示される。このうち最も相関度が大きいのは、Ｎｏ．２のデータ組を除去した場合であり、相関度は０．９７６２となっている。１組を除いたとしても、最も大きな相関度は、設定相関度よりも小さくなっている。【００７２】  そこで、さらにもう１組（合計２組）のデータを除去して、再度、近似曲線データを演算しなおす。５組のデータから２組を除く場合において、１組を除去したときに、最も相関度が大きくなるような結果が得られた１組は必ず取り除くようにする。すなわち、Ｎｏ．２のデータは必ず除去し、これに加えてさらに別の１組を除去するようにする。すなわち、表３の例では、（Ｎｏ．１，Ｎｏ．２）（Ｎｏ．２，Ｎｏ．３）（Ｎｏ．２，Ｎｏ．４）（Ｎｏ．２，Ｎｏ．５）を取り除いて演算する（全部で４通り）。これにより、演算処理を効率良く行うことができる。演算の結果は、表３と図１７に示される。２組を除去した場合、最も相関度が大きくなるのは、Ｎｏ．２とＮｏ．４のデータ組を除いたときであり、相関度は０．９９９９となる。また、この求められた相関度は、設定相関度よりも大きくなっているので、近似曲線を表示させることができる。実際に、ユーザーのモニター画面に表示されるのは、図１７に示す近似曲線のグラフである。【００７３】  図１１のフローチャートによれば、相関度が設定相関度に満たない場合は、ｎ組のデータから１組づつ除去して近似曲線データを演算する処理を繰り返す。相関度が設定相関度よりも大きくなった時点で、グラフ表示させる近似曲線データを得ることができる。フローチャートにおいて、ステップ＃６からステップ＃２に戻るようにしているが、１組を除去した結果、残りの組数が２組となった場合は、近似曲線を求める意義はないので、ステップ＃７へ移行し、近似曲線が表示せず、ｎ組の点のみをプロットしたグラフを表示させる。【００７４】  ＜グラフ表示の他の機能＞
次に、グラフ表示に関する他の機能を説明する。図１８は、導き線をグラフ上に引くことができる機能を説明する図である。図１８は、ある型番のノズルの圧力・流量特性を示すグラフである。カタログに記載されている圧力値と流量値の具体的数値は、図１８の上の表に示されている。また、データ組の各点は黒丸で表示され、近似曲線も表示されている。ノズルユーザーは、モニター画面でこのグラフを見て、自分の要望する特性を有するノズルであるかどうかを確認することができる。ただし、ユーザーとしては、ある圧力値に対する流量値がどの程度の数値になるのかを確認するためには、グラフ上の目盛りをたどらなければならないので、煩わしい面がある。【００７５】  そこで、ユーザーがある圧力値（流量値）に対する流量値（圧力値）がどのような数値になるのかをより簡単に求めることができるような機能を付加している。例えば、ユーザーが圧力＝０．６ＭＰａのときの流量値の具体的数値を知りたい場合、グラフ上のＰ１
をクリックする。点Ｐ１は、ｘ＝０．６となる座標である。ここをクリックすると、導き線Ｌｘ１とＬｙ１が自動的に引かれる。導き線Ｌｘ１は、点Ｐ１を通る垂直な直線である。点Ａは、導き線Ｌｘ１と近似曲線との交点である。導き線Ｌｙ１は、交点Ａを通る水平な直線である。さらに、交点Ａの座標値が、導き線Ｌｘ１，Ｌｙ１の座標軸に近い側に表示される。これにより、ユーザーは、圧力値＝０．６に対する流量値＝８０．３０９であることを直ちに知ることができる。【００７６】  また、近似曲線よりも上側のポイントＰ２をクリックすると、導き線Ｌｙ２が引かれ、更に交点Ｂ、導き線Ｌｘ２が求められる。このように、ｘｙ座標面内の任意の点をクリックすることで、導き線を引くことができ、数値も表示される。これにより、ユーザーは、自分の知りたい特性データを簡単に求めることができる。【００７７】  導き線を引く別の方法を図１９により説明する。図１８で説明したように、座標面内をクリックする場合、区切りの良い数値の上をクリックできるとは限らず、中途半端な数値を選択してしまうことになる。例えば、圧力値＝０．６を選択しようとしても、クリック位置の誤差により、０．５９や０．６１が選択されることもある。ユーザーとしては、区切りの良い数値を選択したいこともある。【００７８】  その場合は、画面上の「特性値直接入力はこちら」と書いている場所Ｃをクリックする。これをクリックすると、図１９に示すように、特性値入力のための別ウィンドウが起動される。この別ウィンドウを介して、圧力値又は流量値を直接入力することができる。圧力を直接入力する場合は、圧力と表示されたラジオボタンを選択し、具体的な数値を入力すれば、その入力値に対応した導き線をグラフ上に表示させることができる。なお、グラフ上に導き線が増えてくると、グラフが見にくくなるので、最大５箇所（この数は適宜プログラム上で設定できる）まで表示できるようにした。また、グラフ上に表示されている導き線を消去するには、その導き線をクリックすれば表示をクリアすることができる。導き線の表示色は、例えば、赤色にすることで目立ちやすくすることができる。【００７９】  ＜単位換算機能について＞
次に、グラフ表示の単位換算機能を説明する。ノズルカタログに記載されている特性値に基づいて、グラフ表示を行う場合、圧力値や流量値の単位は、基本的にカタログで使用されている単位を使用する。ただし、ノズルメーカーが使用している単位はまちまちであり統一されているわけではない。ノズルを使用するユーザーにとっては、普段使用している単位でノズルの特性を確認したいことがある。そこで、単位換算した形でグラフ表示を行うことができるようにプログラムされている。【００８０】  図２０は、ある型番のノズルについての圧力・流量特性を示すグラフである。圧力の単位はｐｓｉである。グラフを見やすくするため、２０ｐｓｉごとに太い目盛線が使用されている。この圧力の単位をｐｓｉからＭＰａに単位換算することを考える。そうすると、図２０の一番下に示すように、ｐｓｉとＭＰａの関係から、例えば、１００→０．６９０に数値変換される。もともとのグラフの目盛線を用いて、単位のみを変換すると、中途半端な数値が表示されることになり、見にくいグラフとなる。【００８１】  そこで、単位換算を行う場合には、図２１に示すように、区切りの良い数値で目盛線を表示できるように、変換処理を行う。図２１では、０．２ＭＰａごとに太い目盛線となるように、グラフの目盛りも変換した。これにより、グラフが見やすくなり，ユーザーにとって使い勝手のよいシステムとすることができる。【００８２】  ＜別実施形態＞
（１）本実施形態では、ノズル情報検索システムに用いられるデータベースに格納された圧力値データと流量値データに基づいてグラフを作成する場合について説明したが、本発明に係るグラフ作成プログラムは、これに限定されるものではない。第１データと第２データのデータ組が複数ある場合、これをグラフ化する場合にも使用することができる。本実施形態において、圧力値データと流量値データに関して説明した事項は、一般的に第１データと第２データのグラフを作成する場合に適用することができる。また、ノズル特性値に関して言えば、圧力値とスプレー角度の関係をグラフ化する場合にも適用できる。
（２）なお、本グラフ作成プログラムは、サーバーに置いたまま作動させてもよいし、サーバーからダウンロードしてクライアント・パソコンで作動させてもよい。また、スタンドアロンのパソコンに、本グラフ作成プログラムをインストールさせて利用することもできる。
（３）表３において、２組のデータ組みを削除して演算する例を説明した。２組を削除しても、なお、相関度が設定相関度よりも低い場合は、３組を削除して近似曲線データを再演算処理する。この３組のうちの２組は、その前段階の演算において、最も相関が高くなるような２組が選択されることは言うまでもない。このように、設定相関度にならない場合は、１組づつ順番にデータ組を削除して演算を行うのである。もちろん、残りのデータ組が２組となった場合は、近似曲線データの演算処理を終了する。この考え方は、第１データと第２データによりグラフを作成する場合にも適用可能である。
（４）ノズル情報検索システムにおいて、サーバーシステムを１台のサーバー装置で構成するか複数台で構成するかは適宜選択できるものである。複数台で構成して機能を分散することにより、各サーバー装置の負担を軽減することができる。例えば、Ｗｅｂサーバ、データベース・サーバーのように分散することができる。複数のサーバーで構成する場合に、サーバーが設置される場所が分散されていても良い。
【図１】
2005031278.tif 000005
【図２】
2005031278.tif 000006
【図３】
2005031278.tif 000007
【図４】
2005031278.tif 000008
【図５】
2005031278.tif 000009
【図６】
2005031278.tif 000010
【図７】
2005031278.tif 000011
【図８】
2005031278.tif 000012
【図９】
2005031278.tif 000013
【図１０】
2005031278.tif 000014
【図１１】
2005031278.tif 000015
【図１２】
2005031278.tif 000016
【図１３】
2005031278.tif 000017
【図１４】
2005031278.tif 000018
【図１５】
2005031278.tif 000019
【図１６】
2005031278.tif 000020
【図１７】
2005031278.tif 000021
【図１８】
2005031278.tif 000022
【図１９】
2005031278.tif 000023
【図２０】
2005031278.tif 000024
【図２１】
2005031278.tif 000025
【図２２】
2005031278.tif 000026
【図２３】
2005031278.tif 000027
【図２４】
2005031278.tif 000028
【国際調査報告】
2005031278.tif 000029
2005031278.tif 000030
2005031278.tif 000031
2005031278.tif 000032